(57)【要約】【課題】遮光幕の走行による音の発生とシャッタ装置の耐久性の低下を抑制する。【解決手段】シャッタ装置（１００）は、遮光幕（３０１〜３０４）と、遮光幕（３０１〜３０４）を駆動する第１の駆動部材（６０１）と、第１の駆動部材（６０１）を制御する制御手段（２００７）とを有し、制御手段（２００７）は、モードに応じて第１の駆動部材（６０１）の動作を変更することにより遮光幕（３０１〜３０４）の走行速度を変化させる。【選択図】図１
2019184834.tif 000002
【特許請求の範囲】
【請求項１】
遮光幕と、
前記遮光幕を駆動する第１の駆動部材と、
前記第１の駆動部材を制御する制御手段と、を有し、
前記制御手段は、モードに応じて前記第１の駆動部材の動作を変更することにより前記遮光幕の走行速度を変化させる
ことを特徴とするシャッタ装置。
【請求項２】
前記制御手段は、第１のモードと第２のモードとを含む複数のモードから選択された一つのモードに設定可能であり、
前記遮光幕は、
前記第１のモードにおいて第１の走行速度で走行し、
前記第２のモードにおいて前記第１の走行速度よりも低速な第２の走行速度で走行する
ことを特徴とする請求項１に記載のシャッタ装置。
【請求項３】
前記第１の駆動部材を移動させるモータを更に有し、
前記制御手段は、
前記第１のモードにおいて、第１の回転速度で前記モータを回転させ、
前記第２のモードにおいて、前記第１の回転速度よりも低速な第２の回転速度で前記モータを回転させる
ことを特徴とすることを特徴とする請求項２に記載のシャッタ装置。
【請求項４】
前記遮光幕は、
前記第１のモードにおいて、前記第１の回転速度での前記モータの回転が完了した後に走行を開始し、
前記第２のモードにおいて、前記第２の回転速度での前記モータの回転に応じて走行する
ことを特徴とする請求項３に記載のシャッタ装置。
【請求項５】
第２の駆動部材を更に有し、
前記第２の駆動部材は、
前記モータの動力を前記第１の駆動部材に伝達して前記第１の駆動部材をセット位置に駆動し、
前記遮光幕が走行可能となるセット解除状態において前記第１の駆動部材の回動範囲から退避し、
前記第２のモードにおいて、前記第２の駆動部材によるセット解除動作の完了前に前記遮光幕の走行が開始する
ことを特徴とする請求項３または４に記載のシャッタ装置。
【請求項６】
前記第２の駆動部材は、前記第２のモードでの前記セット解除状態において、前記第２の駆動部材の回転に応じて前記第１の駆動部材および前記遮光幕を駆動するように、前記第１のモードでの第１の駆動速度よりも低速な第２の駆動速度で回転する
ことを特徴とする請求項５に記載のシャッタ装置。
【請求項７】
前記制御手段は、前記第２のモードにおいて、前記第２の回転速度で前記モータを回転させた後、前記第２の回転速度とは異なる第３の回転速度で前記モータを回転させて前記遮光幕を走行させる
ことを特徴とする請求項３乃至６のいずれか１項に記載のシャッタ装置。
【請求項８】
前記遮光幕の位置を検知する検知手段を更に有し、
前記制御手段は、前記第２のモードにおいて、前記検知手段により検知された前記遮光幕の位置に基づいて前記モータの回転速度を変更する
ことを特徴する請求項３乃至７のいずれか１項に記載のシャッタ装置。
【請求項９】
前記制御手段は、温度に応じて前記モータの回転速度を変更する
ことを特徴とする請求項３乃至８に記載のシャッタ装置。
【請求項１０】
前記制御手段は、前記シャッタ装置の作動回数に応じて前記モータの回転速度を変更する
ことを特徴とする請求項３乃至９のいずれか１項に記載のシャッタ装置。
【請求項１１】
前記遮光幕は、
待機状態において露光開口を閉じており、
前記待機状態からライブビュー状態への移行の際に、前記露光開口から退避するように走行する
ことを特徴とする請求項１乃至１０のいずれか１項に記載のシャッタ装置。
【請求項１２】
撮像素子と、
請求項１乃至１１のいずれか１項に記載のシャッタ装置と、を有することを特徴とする撮像装置。
【請求項１３】
遮光幕と、前記遮光幕を駆動する第１の駆動部材と、前記第１の駆動部材を制御する制御手段とを有するシャッタ装置の制御方法であって、
モードを判定するステップと、
前記モードに応じて前記第１の駆動部材の動作を変更することにより前記遮光幕の走行速度を変化させるステップと、を有する
ことを特徴とするシャッタ装置の制御方法。
【発明の詳細な説明】
【技術分野】
【０００１】
本発明は、シャッタ装置およびその制御方法に関する。
【背景技術】
【０００２】
従来、被写体を撮像する際のシャッタースピードなどを制御するために、機械的な先幕と後幕を備えたシャッタ装置が知られている。また、所謂ライブビュー撮影を行う場合に先幕を開いた状態で撮像素子により取得された画像データをリアルタイムに表示装置に表示する撮像装置が知られている。
【０００３】
ところで、ライブビュー撮影へ移行する場合、シャッタ装置を構成する先幕および後幕の両方を撮像領域（露光開口）から退避させる必要がある。一方、撮影のタイムラグの低減および撮像素子の保護のため、待機状態においてシャッタ装置の先幕を遮光状態（露光開口を閉じた状態）にすることが一般的である。このため、ライブビュー撮影へ移行する際に、先幕を走行させることで走行音が発生する。そこで、例えば特許文献１には、シャッタのセットを解除するためのレバーを低速で駆動することにより、レバーの駆動完了時に発生する衝撃音を低減させるシャッタ装置が開示されている。
【先行技術文献】
【特許文献】
【０００４】
【特許文献１】特開２０１６−２０９８１号公報
【発明の概要】
【発明が解決しようとする課題】
【０００５】
しかしながら、特許文献１に開示されているシャッタ装置では、シャッタ装置のセット解除の際に生じる衝突音を低減することはできるが、先幕を走行した際に、先幕のストッパへの衝突音を低減させることは困難である。また、特許文献１に開示されているシャッタ装置では、先幕がストッパへ当接することに伴う耐久性の低下を抑制することは困難である。
【０００６】
そこで本発明の目的は、遮光幕の走行による音の発生とシャッタ装置の耐久性の低下を抑制することである。
【課題を解決するための手段】
【０００７】
本発明の一側面としてのシャッタ装置は、遮光幕と、前記遮光幕を駆動する第１の駆動部材と、前記第１の駆動部材を制御する制御手段とを有し、前記制御手段は、モードに応じて前記第１の駆動部材の動作を変更することにより前記遮光幕の走行速度を変化させる。
【０００８】
本発明の他の側面としての撮像装置は、撮像素子と前記シャッタ装置とを有する。
【０００９】
本発明の他の側面としてのシャッタ装置の制御方法は、遮光幕と、前記遮光幕を駆動する第１の駆動部材と、前記第１の駆動部材を制御する制御手段とを有するシャッタ装置の制御方法であって、モードを判定するステップと、前記モードに応じて前記第１の駆動部材の動作を変更することにより前記遮光幕の走行速度を変化させるステップとを有する。
【００１０】
本発明の他の目的及び特徴は、以下の実施形態において説明される。
【発明の効果】
【００１１】
本発明によれば、遮光幕の走行による音の発生とシャッタ装置の耐久性の低下を抑制することができる。
【図面の簡単な説明】
【００１２】
【図１】本実施形態におけるシャッタ装置の分解斜視図である。
【図２】本実施形態におけるシャッタ装置の分解斜視図である。
【図３Ａ】本実施形態における通常モードでのシャッタ装置の動作の説明図である。
【図３Ｂ】本実施形態における通常モードでのシャッタ装置の動作の説明図である。
【図４Ａ】本実施形態における低速モードでのシャッタ装置の動作の説明図である。
【図４Ｂ】本実施形態における低速モードでのシャッタ装置の動作の説明図である。
【図５】本実施形態における撮像装置の説明図である。
【図６】本実施形態におけるライブビュー移行時の撮像装置の動作を示すフローチャートである。
【発明を実施するための形態】
【００１３】
以下、本発明の実施形態について、図面を参照しながら詳細に説明する。
【００１４】
まず、図１および図２を参照して、本実施形態におけるシャッタ装置（フォーカルプレンシャッタ）の構成について説明する。図１および図２は、シャッタ装置（フォーカルプレンシャッタ）１００の分解斜視図であり、互いに異なる方向から見た図を示している。１はシャッタ地板であり、シャッタ装置１００における後述する構成部品が取り付けられる。２はカバー板であり、シャッタ地板１に対して所定の間隔をあけて取り付けられている。シャッタ地板１には、アパーチャ１ａが形成されている。アパーチャ１ａが形成する長方形の露光開口が、シャッタ地板１を通過する光束を規定している。
【００１５】
３は先幕ユニット、４は後幕ユニットである。先幕ユニット３および後幕ユニット４は、シャッタ地板１とカバー板２とにより形成される羽根室に配置されている。先幕ユニット３は、先幕羽根（遮光幕）３０１、３０２、３０３、３０４、および、先幕羽根アーム３０５、３０６を有する。先幕ユニット３は、シャッタ地板１に先幕羽根アーム３０５、３０６にて回動可能に取り付けられる。後幕ユニット４は、先幕ユニット３と同様に、４枚の羽根および２枚のアームを有する。なお、後幕ユニット４のこれらの構成は、先幕ユニット３の４枚の羽根および２枚のアームの構成と同等であるため、それらの説明は割愛する。
【００１６】
５は羽根ストッパであり、走行が完了した際の先幕ユニット３および後幕ユニット４のストッパとして機能する。羽根ストッパ５は、主にゴムなどの弾性部材からなる。６は先幕駆動レバーユニットであり、回転中心６０１ａにてシャッタ地板１に回動可能に取り付けられる。先幕駆動レバーユニット６は、先幕駆動レバー（第１の駆動部材）６０１、先幕駆動バネ６０２、および、先幕検知ＰＩ６０３を有する。
【００１７】
先幕駆動レバー６０１の駆動軸６０１ｂは、先幕羽根アーム３０５の穴３０５ｂを貫通しており、先幕ユニット３に動力を伝達する。これにより先幕駆動レバー６０１は先幕羽根３０１〜３０４を駆動することができる。先幕駆動バネ６０２は、固定端をシャッタ地板１、可動端を先幕駆動レバー６０１にそれぞれ取り付けられている。これにより、先幕ユニット３が走行するための動力を先幕駆動レバー６０１に伝達することができる。先幕検知（検知手段）ＰＩ６０３は、シャッタ地板１に取り付けられており、先幕羽根３０１〜３０４の位置を検知する。先幕検知ＰＩ６０３はＵ字形状（不図示）であり、先幕駆動レバー６０１の位置検知部６０１ｃ、６０１ｄを通過することで信号を検知し、制御部（制御手段）２００７（図５参照）に信号を伝達する。７は後幕駆動レバーユニットである。後幕駆動レバーユニット７の構成は、先幕駆動レバーユニット６と同等の構成であるため、その説明は割愛する。
【００１８】
８はセットレバーユニットであり、セットレバー（第２の駆動部材）８０１およびセットレバー戻しバネ８０２を有する。セットレバー８０１は、回動することにより、先幕駆動レバー６０１および後幕駆動レバー７０１を回動させ、先幕ユニット３および後幕ユニット４をセット位置まで移動させる。セットレバー戻しバネ８０２の固定端はシャッタ地板１に取り付けられており、セットレバー戻しバネ８０２の可動端はセットレバー８０１に取り付けられている。セット解除の際、セットレバー８０１は、セットレバー戻しバネ８０２の付勢力により先幕駆動レバーユニット６および後幕駆動レバーユニット７の駆動範囲から退避する。
【００１９】
９はシャッタチャージユニットであり、モータ９０１、位相板９０２、チャージカム９０３、チャージレバー９０４、および、不図示のギヤトレインを備えて構成される。位相板９０２は、チャージカム９０３の回転位相を信号として制御部２００７（図５参照）へ制御信号を送信する。モータ９０１は、不図示のギヤトレインおよびチャージカム９０３を介して、チャージレバー９０４を駆動する。後述のように、チャージレバー９０４は、セットレバー８０１にモータ９０１の動力を伝達する。
【００２０】
１１は先幕ブレーキユニットであり、ブレーキレバー１１０１およびブレーキバネ１１０２を有する。ブレーキレバー１１０１は、回転中心１１０１ｃの周りに回転可能にシャッタ地板１に取り付けられている。ブレーキバネ１１０２の固定端はシャッタ地板１に取り付けられ、ブレーキバネ１１０２の可動端はブレーキレバー１１０１に取り付けられている。後述のように、ブレーキバネ１１０２の付勢力により、走行中の先幕ユニット３はブレーキ力を受けて減速する。
【００２１】
本実施形態のシャッタ装置１００において、遮光幕（先幕羽根３０１〜３０４）は、待機状態（セット状態）において露光開口（撮影領域）を閉じており、待機状態からライブビュー状態への移行の際に露光開口から退避するように走行する。
【００２２】
次に、図３Ａおよび図３Ｂを参照して、通常モード時におけるシャッタ装置１００の動作について説明する。図３Ａおよび図３Ｂは、通常モードでのシャッタ装置１００の動作の説明図である。なお、シャッタ装置１００においては、先幕ユニット３および後幕ユニット４がそれぞれ走行するが、後幕ユニット４の動作については公知のため説明は割愛する。
【００２３】
図３Ａ（１）は、セット状態におけるシャッタ装置１００の説明図である。図３Ａ（１）に示されるように、セットレバー８０１は、セットレバー戻しバネ８０２の付勢力により、回転中心８０１ａを中心として紙面左回転方向に付勢されている。またセットレバー８０１は、チャージレバー９０４の当接部９０４ｂに当接している。チャージレバー９０４は、この当接により付勢力を受け、回転中心９０４ｃを中心として紙面右回転方向に回転しようとするが、チャージカム９０３と当接部９０４ｂにて当接することで回転が抑制されている。先幕駆動レバー６０１は、先幕駆動バネ６０２により、回転中心６０１ａを中心として紙面右回転方向に付勢されている。また先幕駆動レバー６０１は、当接部６０１ｅにてセットレバー８０１と当接することにより、その回転が抑制されている。
【００２４】
図３Ａ（１）のセット状態からモータ９０１が回転してモータ９０１の回転が完了すると、図３Ａ（２）の状態に移行する。図３Ａ（２）は、セット解除状態のシャッタ装置１００の説明図である。モータ９０１の回転により、チャージカム９０３が回転し、チャージレバー９０４の回転抑制が解除される。これによりチャージレバー９０４は、回転中心９０４ｃを中心として紙面右回転方向に回転し、レバーバウンド抑制部１ｂに当接して停止する。また、セット解除状態において、先幕ユニット３および先幕駆動レバーユニット６は、不図示の緊定機構により係止されその係止位置が保持される。本実施形態のシャッタ装置１００は、電磁アクチュエータにより緊定の係止が解除される緊定機構を有し、緊定解除動作により先幕ユニット３は走行可能となる。なお、その機構は公知のため説明を割愛する。
【００２５】
緊定機構の係止が解除されると、先幕ユニット３は走行を開始し、図３Ｂ（１）の状態に移行する。図３Ｂ（１）は、走行中の先幕ユニット３にブレーキが掛かり始め、減速を開始する状態の説明図である。本実施形態のシャッタ装置１００は、先幕ユニット３の走行完了直前に走行速度を減速する機構を有する。先幕ユニット３の走行完了直前に、ブレーキレバー１１０１と先幕駆動レバー６０１の駆動軸６０１ｂとが当接する。これにより、ブレーキバネ１１０２の付勢力を先幕ユニット３に伝達し、先幕ユニット３の走行が減速する。
【００２６】
図３Ｂ（２）は、先幕ユニット３の先幕羽根３０１〜３０４が羽根ストッパ５に衝突し、先幕羽根３０１〜３０４の走行が終了した瞬間の状態の説明図である。羽根ストッパ５に衝突した先幕ユニット３は、大きな衝突音がする。
【００２７】
次に、図４Ａおよび図４Ｂを参照して、低速モード時におけるシャッタ装置１００の動作について説明する。図４Ａおよび図４Ｂは、低速モードでのシャッタ装置１００の動作の説明図である。図４Ａ（１）は、セット状態でのシャッタ装置１００の説明図である。なお、図４Ａ（１）に示されるセット状態は、図３Ａ（１）と同様であるため、その説明を割愛する。低速モードにおいて図４Ａ（１）のセット状態から前述の通常モードよりも低速にモータ９０１を回転させると、図４Ａ（２）の状態へ移行する。図４Ａ（２）は、低速モードにて先幕ユニット３が走行を開始する直前の状態を示す図である。ここで、図４Ａ（１）から図４Ａ（２）の状態に至る間に不図示の緊定機構が解除され、先幕ユニット３は走行可能な状態に移行する。
【００２８】
図４Ａ（２）の状態から先幕ユニット３が走行を開始すると、図４Ｂ（１）の状態に移行する。図４Ｂ（１）は、先幕ユニット３が走行している状態を示す。モータ９０１の低速回転により、チャージレバー９０４が回転中心９０４ｃを中心として紙面右回転方向に回転を開始する。チャージレバー９０４は、更に紙面右回転方向に回転するようにセットレバー８０１との当接部９０４ｂから付勢力を受けるが、チャージカム９０３により回転が抑制される。すなわち、チャージカム９０３の回転に沿ってチャージレバー９０４は回転する。セットレバー８０１は、先幕駆動レバー６０１の当接部６０１ｅから紙面左回転方向に回転付勢力を受けるが、チャージレバー９０４の当接部９０４ｂにより回転が抑制される。すなわち、チャージカム９０３の回転に沿ってセットレバー８０１は回転する。先幕駆動レバー６０１は、先幕駆動バネ６０２の付勢力により回転中心６０１ａを中心として紙面右回転方向に回転付勢力を受けるが、当接部６０１ｅに当接するセットレバー８０１により回転が規制される。すなわち、チャージカム９０３の回転に沿って先幕駆動レバー６０１は回転する。
【００２９】
図４Ｂ（２）は、走行中の先幕ユニット３にブレーキ掛かり始めたときの状態の説明図である。先幕ユニット３の走行完了直前に、ブレーキレバー１１０１と先幕駆動レバー６０１の駆動軸６０１ｂとが当接することにより、ブレーキバネ１１０２の付勢力が先幕ユニット３に伝達される。走行中の先幕ユニット３にブレーキが掛かり始めると、第１の運動エネルギーと第２の運動エネルギーとの大小関係により、先幕ユニット３の走行方向および走行速度が決定される。ここで、第１の運動エネルギーは、先幕駆動バネ６０２の付勢力や先幕ユニット３の慣性力などからなる、先幕ユニット３を図中の上から下に走行させる運動エネルギーである。第２の運動エネルギーは、ブレーキバネ１１０２の付勢力、ブレーキレバー１１０１の慣性力、ブレーキレバー１１０１と先幕駆動レバー６０１の駆動軸６０１ｂとの当接で発生する摩擦力からなる、先幕ユニット３を下から上に押し上げる運動エネルギーである。
【００３０】
すなわち、第１の運動エネルギー＞第２の運動エネルギー（条件式（１））を満足する場合、図４Ｂ（３）の状態（走行完了状態）に移行する。一方、第１の運動エネルギー＜第２の運動エネルギー（条件式（２））を満足する場合、先幕ユニット３は図４Ｂ（３）の走行完了状態に移行することなく停止する。なお、条件式（２）を満足する場合、先幕ユニット３にブレーキがかかり始める直前からモータ９０１の回転速度を上げることで先幕ユニット３の慣性力を上げ、条件式（１）を満足するように調整してもよい。すなわち制御部２００７は、低速モードにおいて、高速モードでの第１の回転速度よりも低速な第２の回転速度でモータ９０１を回転させた後、第２の回転速度とは異なる第３の回転速度でモータ９０１を回転させて先幕羽根３０１〜３０４を走行させる。また、第１の運動エネルギーと第２の運動エネルギーとの関係は、温度に応じて変化する。このため、シャッタ装置１００の周囲の温度に応じてモータ９０１の回転速度を変更してもよい。また、第１の運動エネルギーと第２の運動エネルギーとの関係は、シャッタ装置１００の作動回数に応じて変化する。このため、シャッタ装置１００の作動回数に応じてモータ９０１の回転速度を変更してもよい。
【００３１】
図４Ｂ（３）は、先幕ユニット３の先幕羽根３０１〜３０４が羽根ストッパ５に衝突し、先幕の走行が終了した瞬間の状態（走行完了状態）の説明図である。本実施形態のシャッタ装置１００では、低速モードにおいて、通常モード（図３Ａ、図３Ｂ参照）と比較して、先幕羽根３０１〜３０４が羽根ストッパ５に衝突する際の速度が低速になる。このため、低速モードでは、通常モードと比較して衝突音が低減される。
【００３２】
次に、図５を参照して、本実施形態の撮像装置について説明する。図５は、撮像装置２０００の説明図である。撮像装置２０００は、シャッタ装置１００を備えている。図５（ａ）は撮像装置２０００の正面図、図５（ｂ）は撮像装置２０００の背面図、図５（ｃ）は撮像装置２０００の斜視図である。
【００３３】
２００１は、ＣＭＯＳセンサやＣＣＤセンサなどの撮像素子である。撮像素子２００１は、撮影レンズ（撮像光学系）２００６を介して形成された被写体像（光学像）を光電変換して画像データを出力する。２００２はマウントであり、撮像装置２０００に撮影レンズ２００６を取り付けるためのインターフェースである。２００３はレリーズボタンであり、レリーズボタン２００３が押されると撮像装置２０００が撮像動作を行う。なお、撮像動作は公知のため、その詳細な説明を割愛する。２００７は、撮像装置２０００に設けられたシャッタ装置１００などの各部の動作を制御する制御部（シャッタ制御部、制御手段）である。制御部２００７は、シャッタ装置１００に含まれる。
【００３４】
２００４は背面モニタ（表示部）であり、撮影画像やライブビュー画像を確認するために用いられる。２００５はライブビューボタンである。ライブビューボタン２００５が押されると、ライブビューモードに移行する。ここでライブビューモードとは、撮像装置２０００に搭載された撮像素子２００１により取り込まれた画像（撮影画像）をリアルタイムに背面モニタ２００４で確認するためのモードである。またライブビューモードでは、先幕ユニット３は走行を完了し、常に撮影レンズ２００６からの光が撮像素子２００１に入射している。
【００３５】
本実施形態において、撮像装置（カメラ本体）２０００と、撮像装置２０００に着脱可能な撮影レンズ（交換レンズ）２００６とにより撮像システムが構成される。ただし本発明は、これに限定されるものではなく、カメラ本体と撮影レンズとが一体的に構成された撮像装置にも適用可能である。
【００３６】
次に、図６を参照して、ライブビュー移行時における撮像装置２０００の動作について説明する。図６は、ライブビュー移行時の撮像装置２０００の動作を示すフローチャートである。図６の各ステップは、主に制御部２００７の指令に基づいて、シャッタ装置１００の各部により実行される。
【００３７】
まずステップＳ６００１において、ユーザによりライブビューボタン２００５が押される（ライブビューボタンがＯＮになる）ことにより、撮像装置２０００（制御部２００７）は、ライビュー状態への移行を開始する。続いてステップＳ６００２において、制御部２００７は、通常モードに設定されているか否か、すなわち通常モードまたは低速モードのいずれのモードに選択されているかを判定する。通常モードに設定されている場合、ステップＳ６００３に進む。一方、低速モードに設定されている場合、ステップＳ６０１０に進む。
【００３８】
ステップＳ６００３において、通常モードに設定されているため、制御部２００７は、セット状態のシャッタ装置１００をセット解除状態に移行させるため、モータ９０１を高速に回転する（図３Ａ（１）参照）。続いてステップＳ６００４において、制御部２００７は、ステップＳ６００３にて回転を開始したモータ９０１の回転を完了し、セット解除状態に移行する（図３Ｂ（２）参照）。続いてステップＳ６００５において、制御部２００７は、不図示の緊定機構の係止を解除する。続いてステップＳ６００６において、ステップＳ６００７にて緊定機構の係止が解除されたため、先幕ユニット３の走行が開始する。続いてステップＳ６００７において、走行中の先幕ユニット３にブレーキが掛かり始め、減速を開始する（図３Ｂ（１）参照）。続いてステップＳ６００８において、先幕ユニット３の走行が完了する（図３Ｂ（２）、図４Ｂ（３）参照）。続いてステップＳ６００９において、制御部２００７はライブビューモードを開始する。
【００３９】
一方、ステップＳ６００２にて低速モードに設定されている場合、ステップＳ６０１０において、制御部２００７は、セット状態にあるシャッタ装置１００のモータ９０１を低速で回転させる（図４Ａ（１）参照）。ここで、ステップＳ６０１０でのモータ９０１の回転は、ステップＳ６００３のモータ９０１の回転と比較し低速であることが好ましい。また本実施形態では、通常モードと低速モードとでモータ９０１の回転方向を一致させているが、モードに応じて回転方向を変更してもよい。続いてステップＳ６０１１において、緊定機構の係止が解除される。続いてステップＳ６０１２において、ステップＳ６０１１にて緊定機構が解除されたため、先幕ユニット３が走行を開始する。低速モードでは、図４Ｂ（１）を参照して説明したように、先幕ユニット３はチャージカム９０３の回転に沿って走行する。続いてステップＳ６０１３において、走行中の先幕ユニット３にブレーキが掛かり始め、減速を開始する（図４Ｂ（２））。
【００４０】
続いてステップＳ６０１４において、制御部２００７は、第１の運動エネルギー＞第２の運動エネルギー（条件式（１））を満足するか否かを判定する。条件式（１）を満足する場合、ステップＳ６００８に進み、先幕ユニット３は走行完了状態となる。一方、ステップＳ６０１４にて条件式（１）を満足しない場合（すなわち、条件式（２）を満足する場合）、ステップＳ６０１５に進む。ステップＳ６０１５において、制御部２００７は、条件式（２）の状態から条件式（１）の状態へ移行できるようにモータ９０１の回転速度を変更する。続いてステップＳ６００８において、先幕ユニット３は走行完了状態となる（図３Ｂ（２）、図４Ｂ（３）参照）。
【００４１】
このように制御手段（制御部２００７）は、モードに応じて第１の駆動部材（先幕駆動レバー６０１）の動作を変更する。好ましくは、制御手段は、第１のモード（高速モード）と第２のモード（低速モード）とを含む複数のモードから選択された一つのモードに設定可能である。遮光幕（先幕羽根３０１〜３０４）は、第１のモードにおいて第１の走行速度（高速度）で走行し、第２のモードにおいて第１の走行速度よりも低速な第２の走行速度（低速度）で走行する。より好ましくは、制御手段は、第１のモードにおいて、第１の回転速度でモータ９０１を回転（高速回転）させ、第２のモードにおいて、第１の回転速度よりも低速な第２の回転速度でモータ９０１を回転（低速回転）させる。より好ましくは、遮光幕は、第１のモードにおいて第１の回転速度でのモータ９０１の回転が完了した後に走行を開始し、第２のモードにおいて第２の回転速度でのモータ９０１の回転に応じて（モータの回転に同調して）走行する。また好ましくは、第２の駆動部材（セットレバー８０１）は、モータ９０１の動力を第１の駆動部材に伝達して第１の駆動部材をセット位置に駆動し、遮光幕が走行可能となるセット解除状態において第１の駆動部材の回動範囲（撮影領域）から退避する。そして第２のモードにおいて、第２の駆動部材によるセット解除動作の完了前に遮光幕の走行が開始する。より好ましくは、第２の駆動部材は、第２のモードでのセット解除状態において、第２の駆動部材の回転に応じて第１の駆動部材および遮光幕を駆動するように、第１のモードでの第１の駆動速度よりも低速な第２の駆動速度で回転する。
【００４２】
このようにシャッタ装置１００では、低速モードにおいて、通常モード（図３Ａ、図３Ｂ参照）と比較して、先幕羽根３０１〜３０４が羽根ストッパ５に衝突する際の速度が低速になる。このため、低速モードでは、通常モードと比較して衝突音が低減される。したがって、本実施形態によれば、ユーザが不用意に大きな音を立てずにライブビューモードへの移行が可能である。また低速モードでは、通常モードと比較して、先幕ユニット３は低速で走行しながら羽根ストッパ５に衝突するため、先幕ユニット３が傷つきにくく、シャッタ装置１００の耐久劣化を抑制することも可能である。なお本実施形態ではライブビューモードへの移行時について説明したが、本発明はこれに限定されるものではない。本発明は、例えば、静止画撮影モードから動画撮影モードへの移行時、電源ＯＮ時にライブビューを開始する撮像装置の電源ＯＮ時、長秒バルブ撮影など、高速な遮光幕の走行が求められない他の場面においても有効である。
【００４３】
本実施形態によれば、遮光幕の走行による音の発生とシャッタ装置の耐久性の低下を抑制することができる。
【００４４】
以上、本発明の好ましい実施形態について説明したが、本発明はこれらの実施形態に限定されず、その要旨の範囲内で種々の変形及び変更が可能である。
【符号の説明】
【００４５】
１００  シャッタ装置
３０１、３０２、３０３、３０４  先幕羽根（遮光幕）
６０１  先幕駆動レバー（第１の駆動部材）
２００７  制御部（制御手段）
【図１】
2019184834.tif 000003
【図２】
2019184834.tif 000004
【図３Ａ】
2019184834.tif 000005
【図３Ｂ】
2019184834.tif 000006
【図４Ａ】
2019184834.tif 000007
【図４Ｂ】
2019184834.tif 000008
【図５】
2019184834.tif 000009
【図６】
2019184834.tif 000010